(57)【要約】【課題】文章内の語句に基づいて文章の価値評価を行うことのできる文章価値評価方法、文章価値評価システム及び文章価値評価プログラムを提供すること。【解決手段】この文章価値評価方法は、所定金額Ｖ１〜Ｖ３に関連付けられた複数の語句Ｗ１〜Ｗ３を有して構成される語句データベースＤ内の各語句が文章１６内に含まれているか否かを検出するステップと、文章１６内で検出された各語句Ｗ１〜Ｗ３に関連付けられた金額Ｖ１〜Ｖ３を合算するステップと、を有している。【選択図】図６
2008097544.tif 000002
【特許請求の範囲】
【請求項１】
所定の価値指標値に関連付けられた複数の語句を有して構成される語句データベース内の該各語句が文章内に含まれているか否かを検出するステップと、
前記文章内で検出された前記各語句に関連付けられた前記価値指標値を合算するステップと、を有することを特徴とする文章価値評価方法。
【請求項２】
前記文章がテキストデータを用いて構成され、
前記語句データベースが記憶装置に保持され、
インターネットを介して入力された前記文章に対して前記検出及び前記合算を実行するステップと、
前記インターネットを介して該合算値を外部へ出力するステップと、を更に有することを特徴とする請求項１に記載の文章価値評価方法。
【請求項３】
前記文章内で検出された前記各語句に対してハイパーリンク処理を実行するステップと、
該ハイパーリンク処理が実行された前記各語句を含む前記文章をインターネットを介して外部へ出力するステップと、を更に有することを特徴とする請求項２に記載の文章価値評価方法。
【請求項４】
所定の価値指標値に関連付けられた複数の語句を有して構成される語句データベースと、
該語句データベースを保持する記憶装置と、
文章内に前記語句データベース内の各語句が含まれているか否かを検出するとともに該文章内で検出された前記各語句に関連付けられた前記価値指標値を合算し、かつ前記文章内で検出された前記各語句に対してハイパーリンク処理を実行するコンピュータと、を有することを特徴とする文章価値評価システム。
【請求項５】
コンピュータを、
所定の価値指標値に関連付けられた複数の語句を有して構成される語句データベース内の各語句が文章内に含まれているか否かを検出する手段、
該文章内で検出された前記各語句に関連付けられた前記価値指標値を合算する手段、及び、
前記文章内で検出された前記各語句に対してハイパーリンク処理を実行する手段、として機能させることを特徴とする文章価値評価プログラム。
【発明の詳細な説明】
【技術分野】
【０００１】
本発明は、文章価値評価方法、文章価値評価システム及び文章価値評価プログラムに係り、特にコンピュータを用いて作成された電子データとしての文章が有する価値を評価する方法等に関する。本発明は、特にインターネットを介して公開されたブログの広告的価値を評価する場合に好適である。
【背景技術】
【０００２】
近年、インターネットを利用した広告（インターネット広告）が行われている。例えば、閲覧者がインターネットを介してウェブサイトにアクセスし、そのサイトのページを閲覧するとその閲覧ページ内の所定部分、例えば周囲部分に企業等の広告が表示されるようになっている。
【０００３】
この広告のための表示スペースは、多くの場合ウェブサイトの運営者が広告枠として、例えば企業等の広告主に貸与しているものである。それにより、ウェブサイトの運営者は広告主から広告枠の貸与費用を広告費として徴収することができる。このようなウェブサイトの典型例として、例えばポータルサイト（玄関サイト）と呼ばれるものがある。
【０００４】
広告主は、ポータルサイトの広告枠を借り受けることにより、自社のウェブサイト（自社サイト）を運営管理しなくても容易に多くの閲覧者に自社の広告を提供することができる。また、自社サイトを運営管理している場合でも、ポータルサイトに自社広告を表示することで、より多くの閲覧者に自社広告を提供することができる。したがって、わざわざ自社サイトに多くの閲覧者を誘導する必要なく、高い広告効果を得ることができる。
【０００５】
また、ポータルサイトの自社広告をクリックすればより詳細な広告情報が提供されるようにすることで更に閲覧者に対する広告効果を高めたり、ポータルサイトの自社広告に対して自社サイトへのリンク処理を行うことにより、容易に閲覧者を自社サイトへと誘導することができる。
【０００６】
このようなポータルサイトでは閲覧者の興味を惹く様々な情報が提供されており、人気の高いポータルサイトの閲覧者数は膨大な数となる。一般に、閲覧者数が多いことは広告効果が高いことを意味し、人気の高いポータルサイトでは広告主から高い広告費を徴収することが可能となる。なお、上記のようにポータルサイトの閲覧ページ周囲部分に広告枠が設けられることもあるが、閲覧者がポータルサイトにアクセスした際に閲覧ページとは別の広告ウィンドウが自動的にポップアップし、その広告ウィンドウ内に広告枠が設けられることもある。
【０００７】
一方、最近ではブログ（ウェブログ）と呼ばれるウェブサイトが多数開設されている。ブログは、その開設者がブログサーバ上に作成するもので、日記風の文章や写真等の画像、その他の様々な情報を含んで構成されるものである。ブログサーバはインターネットに接続されており、ブログの内容はインターネットを介して公開される。したがって、他人がインターネットを介してブログを閲覧したり、コメントを作成したり、またトラックバックを行うことが容易にできるようになっている。このようなブログは、その開設や運営管理が容易であることから急速に普及している。
【０００８】
なお、インターネット広告に関して特許文献１に開示のものがあり、ブログに関して特許文献２に開示のものがある。
【特許文献１】特開２００２−３５２１３１号公報
【特許文献２】特開２００６−００６４３１号公報
【発明の開示】
【発明が解決しようとする課題】
【０００９】
このようなブログの急速な普及に伴い、ポータルサイトの閲覧者数に比してブログの閲覧者数が年々増加傾向にある。したがって、ブログに関連付けて自社広告を表示できれば、広告主は大きな広告効果を期待することができる。例えばブログ内に記述された文章内の語句と広告とが関連付けられ、その語句がクリックされると自社広告が表示されるようになっていれば、広告主は非常に大きな広告効果を期待することができる。
【００１０】
しかしながら、ブログの開設者はポータルサイトの運営者とは異なり、コンピュータやネットワークに関する専門知識を有さない者が一般的である。このようなブログ開設者が自身のブログに広告主の広告を関連付ける工程を行うのは非常に困難であるという問題があった。
【００１１】
ブログ内の語句と広告との関連付け工程が自動的に行われるのであれば、広告表示に係る工程を軽減することができて望ましい。また、ブログ内の語句に基づいてブログの価値評価がされ、その評価値に応じてブログ開設者に何らかの特典が与えられれば、新たなブログの開設やブログの更新が促進され、ひいては広告主にとっても広告効果向上が期待できて望ましい。更に、ブログ内の語句が広告のみならず検索キーワードに関連付けられていれば、閲覧者がその語句をクリックするだけでその語句に関する様々な情報を得られるとともにその語句に関する広告の提供も受けることができるので、閲覧者にとっても広告主にとっても大きなメリットとなる。
【００１２】
本発明は上記の事情に鑑みて為されたもので、文章内の語句に基づいて文章の価値評価を行うことのできる文章価値評価方法、文章価値評価システム及び文章価値評価プログラムを提供することを例示的課題とする。更に、文章内の語句に基づいて広告情報や検索キーワードとの関連付けを自動的に行い、文章作成者、広告主、文章の閲覧者のいずれにとっても便利で大きなメリットを発揮する文章価値評価方法等を提供することを他の例示的課題とする。
【課題を解決するための手段】
【００１３】
本発明の例示的側面としての文章価値評価方法は、所定の価値指標値に関連付けられた複数の語句を有して構成される語句データベース内の各語句が文章内に含まれているか否かを検出するステップと、文章内で検出された各語句に関連付けられた価値指標値を合算するステップと、を有することを特徴とする。
【００１４】
所定の価値指標値に関連付けられた複数の語句を有して構成される語句データベースに基づいて文章の価値評価を行うので、文章の有する価値を定量的に評価することができる。価値指標値としては、例えば何らかのポイントであってもよいし、金銭価値（金額）であってもよい。
【００１５】
価値指標値が金銭価値である場合、ある文章内で５円に相当する語句が２０個検出されるとその文章の金銭価値が１００円となり、他の文章内で８円に相当する語句が２０個検出されるとその文章の金銭価値が１６０円となる。文章ごとに価値が評価され、その価値に基づいて文章の順位付けがされるので、文章作成者は競争心によってより高い価値の文章を作成しようとする。このようにして、高価値を有する文章の作成を促進させることができる。文章の価値（金銭価値やポイント等）に基づいて文章作成者に特典を付与するようにすれば、なお一層文章作成を促進させることができる。
【００１６】
例えば、語句データベース内の各語句が広告効果を有しており、その効果の度合いに応じて語句ごとに価値指標値が関連付けられている場合は、高価値の文章が高い広告効果を発揮することとなる。すなわち、この文章価値評価方法は、文章価値に基づく特典付与により文章作成者による高価値文章作成の促進を可能とし、それに伴う広告効果の向上を可能とする。
【００１７】
上記の文章価値評価方法において、文章がテキストデータを用いて構成され、語句データベースが記憶装置に保持され、インターネットを介して入力された文章に対して検出及び合算を実行するステップと、インターネットを介して合算値を外部へ出力するステップと、を更に有してもよい。
【００１８】
これらの文章の入力、文章内の語句の検出、価値指標値の合算、合算値の外部出力の各工程は、すべて１台又は複数台のコンピュータによって行われる。コンピュータにより、語句の検出及び価値指標値の合算が行われるので、それらの作業を簡単・迅速・正確に行うことができる。
【００１９】
例えば、文章がブログサーバ内に格納されたブログに記載されたものであり、記憶装置がハードディスクであり、そのハードディスクを有するコンピュータとウェブサーバとがインターネットを介して接続された構成において、ブログサーバからコンピュータに向けて入力された文章内の語句検出、価値指標値の合算、合算値の出力がコンピュータにより自動的に行われるように構成することも可能である。それにより、文章価値評価を簡単・迅速・正確に行うことができるので、更なる高価値文章作成の促進が可能となり、それに伴う広告効果の向上が可能となる。
【００２０】
更に、文章内で検出された各語句に対してハイパーリンク処理を実行するステップと、ハイパーリンク処理が実行された各語句を含む文章をインターネットを介して外部へ出力するステップと、を有してもよい。
【００２１】
ブログ内の文章が広告効果を有する語句を含んでいる場合には、そのブログがインターネットを通じて公開されるだけでもブログの閲覧者に対する広告効果が発揮される。しかし、その語句にハイパーリンク処理が実行されている場合は、文章に更に様々な付加価値を提供することが可能となる。
【００２２】
例えば、語句をクリックするとその語句が有する広告効果に関連する広告情報が表示されたり、その広告情報を提供する広告主のサイト（自社サイト）が表示されるようになっていれば、更なる広告効果の向上を図ることができる。また、語句をクリックするとその語句を検索キーワードとするキーワード検索結果が表示されるようになっていれば、閲覧者にとって非常に便利である。
【００２３】
このように、文章内の語句へのハイパーリンク処理、処理実行後の文章の外部出力がコンピュータにより自動的に行われるように構成されていれば、文章に対して簡単・迅速・正確に様々な付加価値を提供することができる。したがって、更なる高価値文章作成の促進が可能となり、それに伴う広告効果の向上が可能となる。
【００２４】
本発明の他の例示的側面としての文章価値評価システムは、所定の価値指標値に関連付けられた複数の語句を有して構成される語句データベースと、語句データベースを保持する記憶装置と、文章内に語句データベース内の各語句が含まれているか否かを検出するとともに文章内で検出された各語句に関連付けられた価値指標値を合算し、かつ文章内で検出された各語句に対してハイパーリンク処理を実行するコンピュータと、を有することを特徴とする。
【００２５】
所定の価値指標値に関連付けられた複数の語句を有して構成される語句データベースに基づいて文章の価値評価を行うので、文章の有する価値を定量的に評価することができる。価値指標値としては、例えば何らかのポイントであってもよいし、金銭価値であってもよい。
【００２６】
価値指標値が金銭価値である場合、ある文章内で５円に相当する語句が２０個検出されるとその文章の金銭価値が１００円となり、他の文章内で８円に相当する語句が２０個検出されるとその文章の金銭価値が１６０円となる。文章ごとに価値が評価され、その価値に基づいて文章の順位付けがされるので、文章作成者は競争心からより高い価値の文章を作成しようとする。このようにして、高価値を有する文章の作成を促進させることができる。文章の価値（金銭価値やポイント等）に基づいて文章作成者に特典を付与するようにすれば、なお一層文章作成を促進させることができる。
【００２７】
例えば、語句データベース内の各語句が広告効果を有しており、その効果の度合いに応じて語句ごとに価値指標値が関連付けられている場合は、高価値の文章が高い広告効果を発揮することとなる。すなわち、この文章価値評価システムは、文章価値に基づく特典付与により文章作成者による高価値文章作成の促進を可能とし、それに伴う広告効果の向上を可能とする。
【００２８】
文章内の語句の検出、価値指標値の合算、語句に対するハイパーリンク処理の各工程は、すべて１台又は複数台のコンピュータによって自動的に行われる。コンピュータにより、語句の検出及び価値指標値の合算が行われるので、ブログ内の文章等の価値評価を簡単・迅速・正確に行うことができる。
【００２９】
語句に対するハイパーリンク処理によって文章に更に様々な付加価値を提供することが可能となる。例えば、語句をクリックするとその語句が有する広告効果に関連する広告情報が表示されたり、その広告情報を提供する広告主のサイト（自社サイト）が表示されるようになっていれば、更なる広告効果の向上を図ることができる。また、語句をクリックするとその語句を検索キーワードとするキーワード検索結果が表示されるようになっていれば、閲覧者にとって非常に便利である。このように、文章内の語句へのハイパーリンク処理がコンピュータにより自動的に行われるので、文章に対して簡単・迅速・正確に様々な付加価値を提供することができる。
【００３０】
本発明の更に他の例示的側面としての文章価値評価プログラムは、コンピュータを、所定の価値指標値に関連付けられた複数の語句を有して構成される語句データベース内の各語句が文章内に含まれているか否かを検出する手段、文章内で検出された各語句に関連付けられた価値指標値を合算する手段、及び、文章内で検出された各語句に対してハイパーリンク処理を実行する手段、として機能させることを特徴とする。
【００３１】
所定の価値指標値に関連付けられた複数の語句を有して構成される語句データベースに基づいて文章の価値評価を行うので、文章の有する価値を定量的に評価することができる。価値指標値としては、例えば何らかのポイントであってもよいし、金銭価値であってもよい。
【００３２】
価値指標値が金銭価値である場合、ある文章内で５円に相当する語句が２０個検出されるとその文章の金銭価値が１００円となり、他の文章内で８円に相当する語句が２０個検出されるとその文章の金銭価値が１６０円となる。文章ごとに価値が評価され、その価値に基づいて文章の順位付けがされるので、文章作成者は競争心からより高い価値の文章を作成しようとする。このようにして、高価値を有する文章の作成を促進させることができる。文章の価値（金銭価値やポイント等）に基づいて文章作成者に特典を付与するようにすれば、なお一層文章作成を促進させることができる。
【００３３】
例えば、語句データベース内の各語句が広告効果を有しており、その効果の度合いに応じて語句ごとに価値指標値が関連付けられている場合は、高価値の文章が高い広告効果を発揮することとなる。すなわち、この文章価値評価プログラムは、文章価値に基づく特典付与により文章作成者による高価値文章作成の促進を可能とし、それに伴う広告効果の向上を可能とする。
【００３４】
文章内の語句の検出、価値指標値の合算、語句に対するハイパーリンク処理の各工程は、すべて語句検出手段、価値指標値合算手段、ハイパーリンク処理実行手段として機能する１台又は複数台のコンピュータによって自動的に行われる。コンピュータにより、語句の検出及び価値指標値の合算が行われるので、ブログ内の文章等の価値評価を簡単・迅速・正確に行うことができる。
【００３５】
語句に対するハイパーリンク処理によって文章に更に様々な付加価値を提供することが可能となる。例えば、語句をクリックするとその語句が有する広告効果に関連する広告情報が表示されたり、その広告情報を提供する広告主のサイト（自社サイト）が表示されるようになっていれば、更なる広告効果の向上を図ることができる。また、語句をクリックするとその語句を検索キーワードとするキーワード検索結果が表示されるようになっていれば、閲覧者にとって非常に便利である。このように、文章内の語句へのハイパーリンク処理がコンピュータにより自動的に行われるので、文章に対して簡単・迅速・正確に様々な付加価値を提供することができる。
【００３６】
本発明の更なる課題又はその他の特徴は、以下添付図面を参照して説明される好ましい実施例によって明らかにされるであろう。
【発明の効果】
【００３７】
本発明によれば、作成された文章の価値を定量的に評価することができる。したがって、高い価値を有する文章作成の促進が可能となり、それに伴う広告効果の向上が可能となる。コンピュータにより文章内の語句の検出、検出された語句に関連付けられた価値指標値の合算、語句に対するハイパーリンク処理等を行えば、簡単・迅速・正確に文章の価値評価ができるとともに、文章に対する様々な付加価値（例えば、広告情報の表示、キーワード検索利便性向上等）を提供することができる。
【発明を実施するための最良の形態】
【００３８】
［実施の形態］
以下、本発明の実施の形態に係る文章価値評価方法を使用するインターネット広告システムについて図面を用いて説明する。図１は、インターネット広告システムＳの全体構成を示す概略ブロック図である。このインターネット広告システムＳは、ブログサーバ２、開設コンピュータ４、閲覧コンピュータ６、文章価値評価システム８、広告主としての企業１０の自社サーバ１０ａ、ポータルサーバ１２を有して大略構成され、それらは、インターネットＷを介して互いに接続されている。
【００３９】
ブログサーバ２は、テキストデータを用いて構成された文章としてのブログ１４を格納し、保持し、公開するサーバコンピュータである。そのブログ１４の構成例を図２（ａ）に示す。ブログ１４には、開設者によって作成された日記風の文章１６が記載されている。その文章に対するコメント１４ｂ、トラックバック１４ｃ、更新履歴１４ｄ等とともに、画像１４ｅが掲載される場合もある。このブログサーバ２は、後述する文章価値評価システム８からの要求に基づいて、ブログ１４内の文章１６を文章価値評価システム８に向けて送信する機能を有する。
【００４０】
開設コンピュータ４は、ブログ１４の開設者が操作するためのコンピュータである。開設者がこの開設コンピュータ４を用いて作成した文章１６がインターネットＷを介してブログサーバ２へと送信され、ブログ１４内の文章１６として公開される。したがって、開設コンピュータ４は、内部に文章１６を編集するための文章編集ソフトウェア、文章１６をブログサーバ２へと送信するための通信ソフトウェアを有している。開設コンピュータ４も、後述する文章価値評価システム８からの要求に基づいて、作成した文章１６を文章価値評価システム８に向けて送信することが可能とされている。
【００４１】
閲覧コンピュータ６は、インターネットＷを介してブログ１４を閲覧する閲覧者が操作するためのコンピュータであり、表示部６ａを有している。閲覧者は、閲覧コンピュータ６を操作することによりインターネットＷを介してブログサーバ２にアクセスしてブログ１４の文章１６を閲覧したり、ポータルサーバ１２にアクセスしてポータルサイトの閲覧ページ１２ｂ（図５参照）を閲覧したりすることができる。したがって、閲覧コンピュータ６は、インターネットＷに接続するための通信ソフトウェア、各種ウェブサイトのページを閲覧するためのブラウザ（閲覧ソフトウェア）を有している。なお、これら開設コンピュータ４や閲覧コンピュータ６には、文章編集ソフトウェア、通信ソフトウェア、ブラウザ等を有する通常のパーソナルコンピュータが適用可能である。
【００４２】
文章価値評価システム８は、図３に示すように、評価用コンピュータ１８を有している。その評価用コンピュータ１８は、インターネットＷを介してブログサーバ２、開設コンピュータ４等と接続可能とされており、内部に情報処理手段としてのＣＰＵ（コンピュータの主要部）１８ａ、記憶装置としてのハードディスク１８ｂ、メモリ１８ｃ等を有して構成される。
【００４３】
評価用コンピュータ１８は、ブログサーバ２又は開設コンピュータ４に対して文章１６の入力要求のための入力要求信号を送信する機能を有している。この入力要求信号は、ブログ１４が開設されて新たな文章１６が作成されたときやブログ１４内の文章１６が更新されたときに送信されるようになっている。その要求信号を受信すると、ブログサーバ２又は開設コンピュータ４から評価用コンピュータ１８に向けて文章１６が送信されるようになっている。
【００４４】
ハードディスク１８ｂには、文章価値評価プログラムＰ及び語句データベースＤが保持されている。この文章価値評価プログラムＰは、評価用コンピュータ１８を語句検出手段、金額合算手段（価値指標値合算手段）、ハイパーリンク処理実行手段として機能させるためのものである。
【００４５】
語句検出手段は、ブログサーバ２又は開設コンピュータ４から入力された文章１６内に語句データベースＤを構成する語句が含まれているか否かを検出する。語句データベースＤの内部構成の概略を図４に示す。語句データベースＤは複数の語句を有して構成され、各語句は所定の金額（価値指標値）及びリンク先情報と関連付けられている。
【００４６】
本実施の形態においては「レストラン」という語句Ｗ１が５円という金額（価値指標値）Ｖ１に関連付けられ、「携帯電話」という語句Ｗ２が１０円という金額（価値指標値）Ｖ２に関連付けられ、「ネットワーク」という語句Ｗ３が７円という金額（価値指標値）Ｖ３に関連付けられている。これらの各語句Ｗ１〜Ｗ３に対応する金額Ｖ１〜Ｖ３は、各語句が有する広告効果に基づいて決定されている。
【００４７】
例えば、レストラン関連事業を行う企業（広告主）１０が「レストラン」という語句Ｗ１について５円の金額Ｖ１に相当する広告効果があると判断して、所定の広告費用を負担する。そうすると、ブログ１４の文章１６内に「レストラン」という語句Ｗ１が含まれている場合にそのブログ１４の開設者に対して対価としての５円の金額Ｖ１が支払われるとともに、文章１６内の「レストラン」の語句Ｗ１が閲覧者によってクリックされたときにその企業１０の広告情報が閲覧コンピュータ６の表示部６ａに表示されるように構成される。
【００４８】
なお、例えば文章１６内の語句Ｗ１がクリックされたときに、キーワード検索サービスを提供するポータルサーバ１２のポータルサイトの閲覧ページ１２ｂ（図５参照）が表示されるようになっていてもよい。閲覧ページ１２ｂ内に、語句Ｗ１をキーワードとして行われたキーワード検索結果１２ｃや企業１０の広告情報１２ｄが既に表示されていれば、閲覧者にとって便利であるし広告効果も向上する。もちろん、文章１６内の語句Ｗ１がクリックされたときに、閲覧コンピュータ６が自社サーバ１０ａ内の自社サイトにアクセスするように構成されていてもよい。
【００４９】
語句データベースＤ内の他の語句Ｗ２，Ｗ３についても同様に、ブログ１４の文章１６内に各語句Ｗ２，Ｗ３が含まれている場合にそのブログ１４の開設者に対してそれぞれの対価としての金額Ｖ２，Ｖ３が支払われるとともに、文章１６内の各語句Ｗ２，Ｗ３がクリックされたときに各語句Ｗ２，Ｗ３についてのそれぞれの広告主の広告情報が表示されるように構成される。
【００５０】
語句検出手段は、文章１６内の語句と、語句データベースＤ内の複数の語句Ｗ１〜Ｗ３とを比較・判定し、文章１６内に語句データベースＤ内のどの語句が幾つ含まれているかを検出する。その検出結果は金額合算手段及びハイパーリンク処理実行手段へと送られるようになっている。
【００５１】
金額合算手段は、語句検出手段から送られた検出結果に基づいて、文章１６の金額を算出する。すなわち、文章１６内に含まれる各語句の個数とその語句に関連付けられた金額との積の総和を算出する。算出された合算金額（文章価値）は、インターネットＷを介してブログサーバ２又は開設コンピュータ４へと送信されるようになっている。
【００５２】
ハイパーリンク処理実行手段は、語句検出手段から送られた検出結果に基づいて、文章１６内に検出された各語句Ｗ１〜Ｗ３に対するハイパーリンク処理を自動的に行うものである。図２（ｂ）に、文章１６内の語句Ｗ１〜Ｗ３に対してハイパーリンク処理が実行されたブログ１４を示す。各語句Ｗ１〜Ｗ３に対するハイパーリンク処理は、各語句Ｗ１〜Ｗ３に関連付けられたリンク先情報Ｌ１〜Ｌ３に基づいて実行される。したがって、例えば語句Ｗ１がクリックされた場合は、閲覧コンピュータ６はリンク先情報Ｌ１が示すリンク先の情報を表示部６ａに表示する。そのリンク先の情報は、企業１０の広告情報、ポータルサーバ１２のポータルサイト、企業１０の自社サーバ１０ａ内の自社サイト等である。各語句Ｗ１〜Ｗ３に対するハイパーリンク処理が実行された文章（処理後文章）１６ａは、インターネットＷを介してブログサーバ２へと送信されるようになっている。
【００５３】
自社サーバ１０ａは、広告主としての企業１０が運営管理するサーバコンピュータである。自社サーバ１０ａ内には自社サイトが構築されており、企業１０の宣伝及び広告に係る情報がインターネットＷを介して閲覧可能に掲載されている。
【００５４】
ポータルサーバ１２内にはポータルサイトが構築されており、その閲覧ページ１２ｂには、様々な情報、広告等が掲載されている。ポータルサーバ１２はキーワード検索エンジンを有しており、ポータルサイトではキーワード検索サービスが提供されている。ポータルサイトの閲覧ページ１２ｂ内でキーワードを入力して検索をスタートすると、そのキーワードに関連した様々な情報やウェブサイト等が所定の順位付け（ヒット率順、更新日時順等）に基づいて閲覧ページ１２ｂに表示されるようになっている。その際、そのキーワードに関連する広告情報も併せて閲覧ページ１２ｂに表示されるようになっている。
【００５５】
ブログ１４の文章１６内の語句Ｗ１がクリックされ、その語句Ｗ１に関連付けられたリンク先情報Ｌ１に基づいて閲覧ページ１２ｂが表示される場合は、既に語句Ｗ１〜Ｗ３をキーワードとするキーワード検索結果１２ｃ及び広告情報１２ｄが表示された状態で閲覧ページ１２ｂが表示されるようになっている。もちろん語句Ｗ２，Ｗ３についても同様である。
【００５６】
次に、このインターネット広告システムＳ内の文章価値評価システム８による文章価値評価方法について図６のフローチャートを用いて説明する。
【００５７】
ブログ１４の開設者が開設コンピュータ４で文章１６を作成し、インターネットＷを介して文章価値評価システム８の評価用コンピュータ１８へ文章１６を送信する（Ｓ．１）。文章１６が入力されると、文章価値評価プログラムＰによって語句検出手段として機能させられる評価用コンピュータ１８が、入力された文章１６内に語句データベースＤ内の語句Ｗ１〜Ｗ３が含まれているか否かを検出する（Ｓ．２）。
【００５８】
文章１６内に語句Ｗ１〜Ｗ３が検出されると、文章価値評価プログラムＰによって金額合算手段として機能させられる評価用コンピュータ１８が、検出された各語句Ｗ１〜Ｗ３に関連付けられた金額Ｖ１〜Ｖ３を合算し、文章金額（文章価値）を算出する（Ｓ．３）。すなわち、検出された語句の個数とその語句に関連付けられた金額との積を各語句Ｗ１〜Ｗ３についてそれぞれ求め、それらの積算値の総和を算出して文章金額とする。その文章金額は開設コンピュータ４へとインターネットＷを介して送信される（Ｓ．４）。ブログ１４の開設者は、その文章価値に応じた特典を付与される。
【００５９】
一方、文章価値評価プログラムＰによってハイパーリンク処理実行手段として機能させられる評価用コンピュータ１８は、文章１６内に検出された各語句Ｗ１〜Ｗ３に対してハイパーリンク処理を実行し、処理後文章１６ａを作成する（Ｓ．５）。各語句Ｗ１〜Ｗ３をクリックした際のリンク先は、語句データベースＤ内で各語句Ｗ１〜Ｗ３に関連付けられているリンク先情報Ｌ１〜Ｌ３に基づく。
【００６０】
処理後文章１６ａが、文章価値評価システム８からインターネットＷを介してブログサーバ２へと送信される（Ｓ．６）。処理後文章１６ａを受信すると、ブログサーバ２はブログ１４内にその処理後文章１６ａを掲載し、インターネットＷを通じて公開する（Ｓ．７）。
【００６１】
閲覧者が閲覧コンピュータ６によってブログ１４を閲覧すると、表示部６ａに処理後文章１６ａが表示される。その処理後文章１６ａ内の各語句Ｗ１〜Ｗ３にはハイパーリンク処理がされている。閲覧者が処理後文章１６ａ内の語句Ｗ１をクリックすると、語句Ｗ１のリンク先情報Ｌ１に基づいて、表示部６ａに企業１０の広告情報が表示される。
【００６２】
そのリンク先情報Ｌ１が企業１０の自社サーバ１０ａを示す場合には、企業１０の自社サイトのページが表示部６ａに表示される。また、リンク先情報Ｌ１がポータルサーバ１２を示す場合は、語句Ｗ１をキーワードとするキーワード検索結果１２ｃや企業１０の広告情報１２ｄを含んだポータルサイトの閲覧ページ１２ｂが表示部６ａに表示される。
【００６３】
なお、上記の説明では、文章１６が開設コンピュータ４から文章価値評価システム８へと入力されているが、もちろん文章１６がブログサーバ２から文章価値評価システム８へと入力されてもよい。また、処理後文章１６ａが文章価値評価システム８からブログサーバ２へと出力されているが、もちろん処理後文章１６ａが文章価値評価システム８から開設コンピュータ４へと出力されてもよい。文章金額についても、開設コンピュータ４又はブログサーバ２の一方又は両方に送信されてもよい。これらは、いずれもシステム設計上の都合に応じて適宜選択されるものである。
【００６４】
以上、本発明の好ましい実施の形態を説明したが、本発明はこれらに限定されるものではなく、その要旨の範囲内で様々な変形や変更が可能である。
【図面の簡単な説明】
【００６５】
【図１】本発明の実施の形態に係る文章価値評価方法を使用するインターネット広告システムの全体構成を示す概略ブロック図である。
【図２】図１に示すブログサーバに格納されたブログの構成例を示す図であって、（ａ）はブログの文章内で検出された語句に対しハイパーリンク処理がされる前の状態を示し、（ｂ）はブログの文章内で検出された語句に対しハイパーリンク処理がされた後の状態を示す。
【図３】図１に示す文章価値評価システムの内部構成を示す概略ブロック図である。
【図４】語句データベースの内部構成を示す構成図である。
【図５】ポータルサイトの閲覧ページを示す図である。
【図６】図１に示す文章価値評価システムによる文章価値評価方法について説明するフローチャートである。
【符号の説明】
【００６６】
Ｄ：語句データベース
Ｌ１〜Ｌ３：リンク先情報
Ｐ：文章価値評価プログラム
Ｓ：インターネット広告システム
Ｖ１〜Ｖ３：金額（価値指標値）
Ｗ：インターネット
Ｗ１〜Ｗ３：語句
２：ブログサーバ
４：開設コンピュータ
６：閲覧コンピュータ
６ａ：表示部
８：文章価値評価システム
１０：企業（広告主）
１０ａ：自社サーバ
１２：ポータルサーバ
１２ｂ：閲覧ページ
１２ｃ：キーワード検索結果
１２ｄ：広告情報
１４：ブログ
１４ｂ：コメント
１４ｃ：トラックバック
１４ｄ：更新履歴
１４ｅ：画像
１６：文章
１６ａ：処理後文章
１８：評価用コンピュータ
１８ａ：ＣＰＵ（コンピュータの主要部）
１８ｂ：ハードディスク（記憶装置）
１８ｃ：メモリ
【図１】
2008097544.tif 000003
【図２】
2008097544.tif 000004
【図３】
2008097544.tif 000005
【図４】
2008097544.tif 000006
【図５】
2008097544.tif 000007
【図６】
2008097544.tif 000008